(57)【要約】【課題】意匠端部の表示異常を無くすか軽減する垂直配向型液晶表示装置及びその生産方法を提供する。【解決手段】垂直配向型液晶表示装置は、第１基板３１ａ、第１電極３１ｂと、第２基板３２ａ、第２電極３２ｂと、液晶層と、を備え、両電極に電圧を印加することに対応して液晶層の液晶分子が倒れることによって、対向面の法線方向から見て両電極が略重なる領域によって構成される意匠を表示する。前記意匠の端部は、液晶ダイレクタ方向に対する角度の絶対値が所定の値以下である第１の端部と、液晶ダイレクタ方向側に位置し、液晶ダイレクタ方向に対する角度の絶対値が前記所定の値より大きい第２の端部と、を含み、第２の端部における第２電極３２ｂの端縁が、第１電極３１ｂの端縁よりも液晶ダイレクタ方向に所定の長さ以上延長されている。【選択図】図４
2013029775.tif 000002
【特許請求の範囲】
【請求項１】
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置であって、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向側に位置し、前記液晶ダイレクタ方向に対する角度の絶対値が前記所定の値より大きい第２の端部と、を含み、
前記第２の端部における前記第２電極の端縁が、前記第１電極の端縁よりも前記液晶ダイレクタ方向に所定の長さ以上延長されている、
ことを特徴とする垂直配向型液晶表示装置。
【請求項２】
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置であって、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向とは逆方向側に位置し、前記液晶ダイレクタ方向に対する角度の絶対値が前記所定の値より大きい第２の端部と、を含み、
前記第２の端部における前記第１電極の端縁が、前記第２電極の端縁よりも前記逆方向に所定の長さ以上延長されている、
ことを特徴とする垂直配向型液晶表示装置。
【請求項３】
前記所定の値は、３０°である、
ことを特徴とする請求項１又は２に記載の垂直配向型液晶表示装置。
【請求項４】
前記第１配向膜には一方向にラビング処理が施され、前記第２配向膜には前記一方向とは逆方向にラビング処理が施されることで、前記液晶分子の倒れる方向が規定されている、
ことを特徴とする請求項１乃至３のいずれか１項に記載の垂直配向型液晶表示装置。
【請求項５】
前記両電極が略重なる領域が複数あり、表示される前記意匠が複数ある場合、第１の意匠表示領域と第２の意匠表示領域とを接続するための接続部であって、前記第１電極及び／又は前記第２電極が有する接続部の幅は、１００μｍ以下である、
ことを特徴とする請求項１乃至４のいずれか１項に記載の垂直配向型液晶表示装置。
【請求項６】
前記液晶層のプレチルト角の角度は８５°以上８９．７°以下である、
ことを特徴とする請求項１乃至５のいずれか１項に記載の垂直配向型液晶表示装置。
【請求項７】
前記液晶層のプレチルト角の角度は８９°以上８９．７°以下である、
ことを特徴とする請求項６に記載の垂直配向型液晶表示装置。
【請求項８】
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置の生産方法であって、
前記第１電極のレイアウトと前記第２電極のレイアウトとを決定する決定ステップを含み、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向側に位置し、前記液晶ダイレクタ方向に対する角度の絶対値が前記所定の値より大きい第２の端部と、を含み、
前記決定ステップは、前記第２の端部における前記第２電極の端縁が、前記第１電極の端縁よりも前記液晶ダイレクタ方向に所定の長さ以上延長されるという条件を満たすように、前記第１電極のレイアウトと前記第２電極のレイアウトとを決定するステップである、
ことを特徴とする垂直配向型液晶表示装置の生産方法。
【請求項９】
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置の生産方法であって、
前記第１電極のレイアウトと前記第２電極のレイアウトとを決定する決定ステップを含み、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向とは逆方向側に位置し、前記液晶ダイレクタ方向に対する角度の絶対値が前記所定の値より大きい第２の端部と、を含み、
前記決定ステップは、前記第２の端部における前記第１電極の端縁が、前記第２電極の端縁よりも前記逆方向に所定の長さ以上延長されるという条件を満たすように、前記第１電極のレイアウトと前記第２電極のレイアウトとを決定するステップである、
ことを特徴とする垂直配向型液晶表示装置の生産方法。
【発明の詳細な説明】
【技術分野】
【０００１】
本発明は、垂直配向型液晶表示装置及びその生産方法に関する。
【背景技術】
【０００２】
液晶表示装置として、垂直配向型液晶表示装置（以下、ＶＡ−ＬＣＤ（Vertical Alignment-Liquid Crystal Display）とも言う。）が知られている。ＶＡ−ＬＣＤは、上下基板間に配置される液晶層内の液晶分子が各基板の主面（対向面）に対して略垂直に配向しており、上下基板の各々に設けられた電極に電圧を印加し、液晶層に電圧をかけ、基板主面と略水平方向に液晶分子を倒すことで、所定の意匠表示を可能としている。
【０００３】
ＶＡ−ＬＣＤとしては、電圧無印加時における液晶層内の液晶分子を１つの方向に揃えて配向させたモノドメイン配向のものが知られているが、例えば、セグメント表示方式のモノドメインＶＡ−ＬＣＤでは、意匠端部において線状の表示異常（暗領域）が視認され、表示品位が損なわれてしまうという問題があった（図９（ａ）、（ｂ）参照）。電圧印加時、液晶分子は電気力線に対して略垂直に倒れるが、上下電極の間に発生する斜め電界の方向によっては、液晶分子が液晶ダイレクタ方向（液晶中央分子配向方向）とは異なるほうに倒れてしまい配向欠陥が生じる（図８参照）。このような配向欠陥により表示異常が視認される。
【０００４】
この種の配向欠陥を抑制する技術として、例えば、ドットマトリクス表示方式のＶＡ−ＬＣＤにおいては、特許文献１のように上下電極を一部重畳して平行移動させる技術や、特許文献２のように電極に切り込みを形成する技術が提案されている。
【先行技術文献】
【特許文献】
【０００５】
【特許文献１】特開２００３−２４１１９６号公報
【特許文献２】特許第３３２４９２６号公報
【発明の概要】
【発明が解決しようとする課題】
【０００６】
しかし、セグメント表示方式のモノドメインＶＡ−ＬＣＤでは、意匠形状が一定でなく、電極の形成パターンもドットマトリクス表示型のものより複雑であるため、特許文献１、２に係る技術をそのまま適用することができなかった。
【０００７】
本発明は、上記実状に鑑みてなされたものであり、意匠端部の表示異常を無くすか軽減する垂直配向型液晶表示装置及びその生産方法を提供することを目的とする。
【課題を解決するための手段】
【０００８】
上記目的を達成するため本発明の第１の観点に係る垂直配向型液晶表示装置は、
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置であって、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向側に位置し、前記液晶ダイレクタ方向に対する角度の絶対値が前記所定の値より大きい第２の端部と、を含み、
前記第２の端部における前記第２電極の端縁が、前記第１電極の端縁よりも前記液晶ダイレクタ方向に所定の長さ以上延長されている、
ことを特徴とする。
【０００９】
上記目的を達成するため本発明の第２の観点に係る垂直配向型液晶表示装置は、
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置であって、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向とは逆方向側に位置し、前記液晶ダイレクタ方向に対する角度の絶対値が前記所定の値より大きい第２の端部と、を含み、
前記第２の端部における前記第１電極の端縁が、前記第２電極の端縁よりも前記逆方向に所定の長さ以上延長されている、
ことを特徴とする。
【００１０】
上記目的を達成するため本発明の第３の観点に係る垂直配向型液晶表示装置の生産方法は、
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置の生産方法であって、
前記第１電極のレイアウトと前記第２電極のレイアウトとを決定する決定ステップを含み、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向側に位置し、前記液晶ダイレクタ方向に対する角度の絶対値が前記所定の値より大きい第２の端部と、を含み、
前記決定ステップは、前記第２の端部における前記第２電極の端縁が、前記第１電極の端縁よりも前記液晶ダイレクタ方向に所定の長さ以上延長されるという条件を満たすように、前記第１電極のレイアウトと前記第２電極のレイアウトとを決定するステップである、
ことを特徴とする。
【００１１】
上記目的を達成するため本発明の第４の観点に係る垂直配向型液晶表示装置の生産方法は、
第１基板と、
前記第１基板の下側に位置し、前記第１基板と対向する第２基板と、
前記第１基板の下面に形成された第１電極と、
前記第１電極を下側から覆うように前記第１基板に形成された第１配向膜と、
前記第２基板の上面に形成された第２電極と、
前記第２電極を上側から覆うように前記第２基板に形成された第２配向膜と、
前記第１配向膜と前記第２配向膜との間に位置する液晶層と、を備え、
前記第１電極及び前記第２電極の両電極に電圧を印加していない状態では、前記液晶層の液晶分子が前記第１基板と前記第２基板の対向面と略垂直に配向されており、
前記両電極に電圧を印加することに対応して前記液晶層の液晶分子が倒れることによって、前記対向面の法線方向から見て前記両電極が略重なる領域によって構成される意匠を表示する垂直配向型液晶表示装置の生産方法であって、
前記第１電極のレイアウトと前記第２電極のレイアウトとを決定する決定ステップを含み、
前記法線方向から見て前記液晶分子の前記第２基板に対するプレチルト角の角度が減る方向を液晶ダイレクタ方向とした場合、
前記意匠の端部は、前記液晶ダイレクタ方向に対する角度の絶対値が所定の値以下である第１の端部と、前記液晶ダイレクタ方向とは逆方向側に位置し、前記液晶ダイレクタ方向に対する角度の絶対値が前記所定の値より大きい第２の端部と、を含み、
前記決定ステップは、前記第２の端部における前記第１電極の端縁が、前記第２電極の端縁よりも前記逆方向に所定の長さ以上延長されるという条件を満たすように、前記第１電極のレイアウトと前記第２電極のレイアウトとを決定するステップである、
ことを特徴とする。
【発明の効果】
【００１２】
本発明によれば、意匠端部の表示異常を無くすか軽減することができる。
【図面の簡単な説明】
【００１３】
【図１】本発明の一実施形態に係る液晶表示装置の概略断面図である。
【図２】（ａ）は、平面視における液晶ダイレクタ方向と上下ラビング方向と偏光フィルタの透過軸との関係を説明する図である。（ｂ）は、液晶ダイレクタ方向を説明するための図である。（ｃ）は、第２基板に対する液晶分子のプレチルト角を説明するための図である。
【図３】液晶ダイレクタ方向に対する意匠端部への角度と表示異常との関係の表を示す図である。
【図４】（ａ）は、図１の液晶表示装置を上から見た場合の概略平面図であり、第１電極と第２電極との配置関係を説明するための図である。（ｂ）は、液晶表示装置の（ａ）に示すＡ−Ａ線概略断面図である。
【図５】接続部の接続幅と表示異常との関係の表を示す図である。
【図６】プレチルト角の角度と表示異常との関係の表を示す図である。
【図７】（ａ）〜（ｃ）は、本発明の一実施形態に係る液晶表示装置の効果を説明するための図である。
【図８】従来の液晶表示装置の概略断面図である。
【図９】（ａ）及び（ｂ）は、従来の液晶表示装置において視認された表示異常を説明するための図である。（ｃ）は、従来の液晶表示装置において視認された表示ムラを説明するための図である。
【発明を実施するための形態】
【００１４】
本発明に係る一実施形態について図面を参照して説明する。
なお、以下では、所定の構成要素の、液晶表示装置の表示面方向（液晶表示装置の鑑賞者の方向）を「上」とし、表示面方向の反対側方向を「下」として、説明する。
【００１５】
（液晶表示装置の構成）
図１に示す本実施形態に係る液晶表示装置１００は、垂直配向型液晶表示装置であり、第１偏光フィルタ１０と、第２偏光フィルタ２０と、液晶素子３０と、半透過反射層４０と、バックライト５０と、を備える。
【００１６】
第１偏光フィルタ１０と第２偏光フィルタ２０とは対向して配置され、両者の間に液晶素子３０が設けられる。
【００１７】
第１偏光フィルタ１０は、液晶素子３０の上に位置し、例えば偏光板によって構成される。第１偏光フィルタ１０は、吸収軸及び吸収軸に直交する透過軸を有し、表面側又は裏面側から入射する光を透過軸に沿った直線偏光として出射する。
【００１８】
第２偏光フィルタ２０は、液晶素子３０の下に位置し、例えば偏光板によって構成される。第２偏光フィルタ２０は、吸収軸及び吸収軸に直交する透過軸を有し、表面側又は裏面側から入射する光を透過軸に沿った直線偏光として出射する。
【００１９】
第１偏光フィルタ１０と第２偏光フィルタ２０とは、図２（ａ）に示すように、各々の透過軸（又は吸収軸）が液晶ダイレクタ方向に対して＋４５°と−４５°の角度を有するようにクロスニコルで配置される。このような配置の場合の液晶表示装置１００は、ノーマリブラックモードである。液晶ダイレクタ方向については後に詳述する。
【００２０】
液晶素子３０は、第１基板ユニット３１と、第２基板ユニット３２と、液晶分子３３ａを含む液晶層３３と、を備える。第１基板ユニット３１と第２基板ユニット３２とは対向して配置され、両者の間に液晶層３３が設けられる。なお、図１等では説明便宜のため液晶分子３３ａを模式的に楕円体で表している。
【００２１】
第１基板ユニット３１は、液晶層３３の上に配置され、第１基板３１ａと、第１電極３１ｂと、第１配向膜３１ｃと、を備える。
第２基板ユニット３２は、液晶層３３の下に配置され、第２基板３２ａと、第２電極３２ｂと、第２配向膜３２ｃと、を備える。
【００２２】
第１基板３１ａと第２基板３２ａとは、それぞれ、例えば、ガラス基板、プラスチック基板等の透明基板であり、光を透過する。
【００２３】
第１電極３１ｂと第２電極３２ｂとは、それぞれ、光を透過する透明電極であり、例えばＩＴＯ（酸化インジウムスズ）から、公知の方法（例えば、スパッタ、蒸着、又は、エッチング）により形成される。第１電極３１ｂは、第１基板３１ａの主面（液晶層３３側の面）に任意の表示パターンに対応した形状（例えば、図形、数字等をセグメント表示できる形状）で形成される。同様に、第２電極３２ｂは、第２基板３２ａの主面（液晶層３３側の面）に任意の表示パターンに対応した形状で形成される。
第１電極３１ｂと第２電極３２ｂとは対向して配置され、液晶表示装置１００は、両電極が平面視で（第１基板３１ａと第２基板３２ａの対向面の垂直上方から見て）略重なる領域で意匠を表示する。第１電極３１ｂ及び第２電極３２ｂの両電極には、パッシブ駆動で電圧が印加される。本実施形態に係る第１電極３１ｂ及び第２電極３２ｂの形状・配置については、後に詳述する。
【００２４】
第１配向膜３１ｃと第２配向膜３２ｃとは、それぞれ、液晶層３３に接する膜であり、例えば、ポリイミドから、公知の方法（例えば、フレクソ印刷）によって形成される。第１配向膜３１ｃは、第１基板３１ａの主面（液晶層３３側の面）に、第１電極３１ｂを覆うようにして形成される。同様に、第２配向膜３２ｃは、第２基板３２ａの主面（液晶層３３側の面）に、第２電極３２ｂを覆うようにして形成される。
【００２５】
第１配向膜３１ｃと第２配向膜３２ｃとは、それぞれ、液晶層３３の液晶分子３３ａの電圧無印加時における配向状態（液晶分子３３ａの長軸方向）を基板の主面（対向面）と略垂直に規定する垂直配向膜であり、液晶分子３３ａを１つの方位に略揃えて配向させる（いわゆるモノドメイン配向）。このため、電圧無印加時における液晶分子３３ａのプレチルト角（基板の主面に対して液晶分子３３ａの長軸がなす角度）は、略９０°となっている。ここで、プレチルトとは、電圧印加時に液晶分子３３ａの倒れる方向（後述する液晶ダイレクタ方向）を規定するため、液晶分子３３ａを垂直方向から所定の方向にある程度倒すことをいう。プレチルト角とは、基板（基板の主面）と液晶分子３３ａの長軸とのなす角のうち鋭角又は９０°の角をいう。基板法線方向を９０°として、プレチルトを付与するにつれ、プレチルト角の角度は、９０°から減少していく。
【００２６】
第１配向膜３１ｃには、第１の方向（一例として、図１等に矢印で示す「上ラビング方向」）にラビング処理が施され、細かい溝が形成される。一方、第２配向膜３２ｃには、第１の方向とは反対方向である第２の方向（一例として、図１等に矢印で示す「下ラビング方向」）にラビング処理が施され、細かい溝が形成される。例えば、液晶表示装置１００の表示面を上方から正視する（表示意匠を正面で観る）観察者から見て、上ラビング方向を１２時方向とした場合、下ラビング方向は６時方向である（図２（ａ）参照）。本実施形態においては、このように、上下基板でアンチパラレルとなるようにラビング処理が施されている。なお、光配向処理、突起配向処理等の公知の処理によって液晶分子３３ａの配向方向を規定してもよい。また、第１電極３１ｂと第１配向膜３１ｃとの間、第２電極３２ｂと第２配向膜３２ｃとの間、それぞれに、必要に応じて絶縁膜を設けてもよい。
【００２７】
上記のように、第１配向膜３１ｃと第２配向膜３２ｃとにより、液晶分子３３ａの配向方向は規定される。第１電極３１ｂ及び第２電極３２ｂの両電極に電圧を印加すると、平面視で両電極が略重なる領域における液晶分子３３ａは、図２（ｂ）に示すように、基板主面と垂直方向（つまり、基板の法線方向）から模式的に示した液晶分子３３ａの長軸（ダイレクタ）ｎの向く方向に倒れる。ここで、基板の法線方向から見て、液晶分子３３ａの第２基板３２ａ（第２基板３２ａの主面）に対するプレチルト角（図２（ｃ）参照）が減少する方向を「液晶ダイレクタ方向」と呼ぶことにする（図２（ａ）、（ｂ）等参照）。液晶ダイレクタ方向は、基板の法線方向から見た場合の液晶層３３の断面中央部における液晶分子３３ａのダイレクタｎの向き（つまり、液晶分子３３ａ（長軸）の傾く方向）を示す（図２（ｂ）参照）。本実施形態では、図１、図２（ａ）に示すように、液晶ダイレクタ方向が前述の下ラビング方向と同じ方向である。
【００２８】
液晶層３３は、第１基板ユニット３１と第２基板ユニット３２とによって挟まれている。第１基板ユニット３１と第２基板ユニット３２とは、図示しないシール部材を挟んで、所定の距離を保って対向するように重ね合わされ、固着される。第１基板ユニット３１と第２基板ユニット３２とシール部材とによって形成される密閉空間に液晶材が閉じこめられ、液晶層３３が形成される。液晶材としては、誘電率異方性Δεが負（Δε＜０）のものが用いられる。液晶層３３は、第１配向膜３１ｃと第２配向膜３２ｃとによって所定角度のプレチルト角が付与される。液晶層３３のプレチルト角の角度は「８５°以上８９．７°以下」、より好ましくは「８９°以上８９．７°以下」に設定されている。どのようにして、プレチルト角を規定したかについては後に詳述する。
【００２９】
半透過反射層４０は、第２偏光フィルタ２０の下に位置し、上からの光を反射し、下からの光を透過するものであり、例えば、アルミ等で形成されたハーフミラー等によって構成される。例えば、半透過反射層４０は、第２偏光フィルタ２０を構成する偏光板の下面に直接形成される。
【００３０】
バックライト５０は、半透過反射層４０の下に位置し、光を面状に出射して液晶素子３０等を照らす。バックライト５０は、例えば、発光ダイオードと導光部材との組み合わせによって構成される。バックライト５０は、液晶表示装置１００が明表示を行う際に適宜使用される。
【００３１】
電圧無印加時、液晶分子３３ａは垂直配向なので、下側から第２偏光フィルタ２０を通過した光は、液晶層３３によっては偏光方向（電場振動方向）がほとんど変化されず、第２偏光フィルタ２０とクロスニコルの関係で配置された第１偏光フィルタ１０を通過できない。このように、液晶表示装置１００は、ノーマリブラックモードとなっている。
一方、一対の電極である第１電極３１ｂ及び第２電極３２ｂに電圧を印加すると、液晶層３３の電圧がかけられた領域（つまり、平面視において一対の電極が略重なる領域）においては、液晶分子３３ａが液晶ダイレクタ方向に傾き、特に液晶層３３の断面中間に位置する液晶分子３３ａの長軸は基板（第１基板３１ａ、第２基板３２ａ）の主面と略水平となる。これにより、液晶層３３を通過する光に複屈折が起きて、液晶層３３を通過する光の偏光方向が変化し、第２偏光フィルタ２０の下側から液晶層３３を通過した光は第１偏光フィルタ１０を通過する。液晶表示装置１００は、このように電圧印加時に、光を通過させる領域によって所定の意匠を表示する。
【００３２】
（電極の形成態様・配置関係について）
本願発明者は、上記構成の液晶表示装置１００において、第１電極３１ｂと第２電極３２ｂとを、それぞれ、所定の条件を満たすように、形成、配置することで、意匠端部に視認される表示異常の発生を抑制することができることを見出した。
以下では、本実施形態に特有の電極の形成態様・配置関係について説明する。
【００３３】
ここで、表示異常について説明するため、従来の液晶表示装置２００を図８に示す。この液晶表示装置２００は、本実施形態に係る液晶表示装置１００とその概略構成は同様である。そのため、以下では、各構成について液晶表示装置１００と同様の符号を用いて説明する。従来の液晶表示装置２００は、「第１電極３１ｂと第２電極３２ｂの形成態様・配置関係」、「液晶層３３のプレチルト角」について本実施形態に係る液晶表示装置１００と異なる。なお、図８では、偏光フィルタ、半透過反射層、バックライトは省略した。
【００３４】
第１電極３１ｂ及び第２電極３２ｂの一対の電極に電圧を印加すると、液晶分子３３ａは、長軸が電気力線に対して略垂直になるように、倒れる。しかし、従来の液晶表示装置２００では、斜め電界の発生方向によっては、液晶ダイレクタ方向とは異なる方向に倒れ、基板面に略垂直な状態になる液晶分子３３ａが発生してしまう（図８の「配向欠陥領域」参照）。このように略垂直な液晶分子３３ａが発生した領域（配向欠陥領域）においては、第２偏光フィルタ２０の下側から液晶層３３を通過する光に複屈折が十分に起きないため、光が第１偏光フィルタ１０を十分通過できずに線状の表示異常（暗領域）が視認される（図９（ａ）、（ｂ）参照）。
【００３５】
本願発明者は、液晶表示装置が表示する意匠の端部のうち、液晶ダイレクタ方向と意匠の端部（例えば、平面視における端部の接線）とのなす角の角度が所定の条件を満たす一端部において、第２電極３２ｂを端縁から液晶ダイレクタ方向側に延長して設ける、又は、第１電極３１ｂを端縁から液晶ダイレクタ方向側とは逆方向側に延長して設けることで、両電極の間に発生する斜め電界が液晶分子３３ａに及ぼす悪影響を抑制し、表示異常を無くすか軽減することができることを見出した。
なお、ここで「意匠」とは、電圧印加時に第１電極３１ｂ及び第２電極３２ｂの両電極が略重なる領域に表示される１の形状をいう。意匠は、１の形状であるため、意匠の表示領域と非表示領域との境界線（直線または曲線）によって囲まれる。また、以下では、液晶ダイレクタ方向と意匠の端部（意匠の輪郭線）とのなす角（角度の絶対値が小さい方の角）を「端部角」と呼ぶことにする。
【００３６】
本願発明者は、端部角が様々な角度の場合（±３０°、±４０°、９０°）に、第１電極３１ｂ、第２電極３２ｂを意匠端部から延設（各々の端縁から延長）させた液晶表示装置を作成した。作成した液晶表示装置における表示異常発生の有無に関する実験結果を図３に示す。なお、この実験結果は、フレーム周波数を１００Ｈｚとした場合の結果である。
【００３７】
図３に示す表において、延設方向の欄の「順方向延設」とは、ある端部角を有する一端部が意匠の液晶ダイレクタ方向側に位置する端部であれば、第２電極３２ｂをその一端部から液晶ダイレクタ方向側に延設（第２電極３２ｂの端縁を液晶ダイレクタ方向に延長）させ、ある端部角を有する一端部が意匠の液晶ダイレクタ方向とは逆方向側に位置する端部であれば、第１電極３１ｂをその一端部から逆方向側に延設（第１電極３１ｂの端縁を前記逆方向に延長）した場合を示している。以下、この場合の電極の延設を順方向延設と呼ぶ。
一方、延設方向の欄の「逆方向延設」とは、ある端部角を有する一端部が意匠の液晶ダイレクタ方向側に位置する端部であれば、第１電極３１ｂをその一端部から液晶ダイレクタ方向側に延設させ、ある端部角を有する一端部が意匠の液晶ダイレクタ方向とは逆方向側に位置する端部であれば、第２電極３２ｂをその一端部から逆方向側に延設した場合を示している。以下、この場合の電極の延設を逆方向延設と呼ぶ。
なお、意匠の端部のうち液晶ダイレクタ方向側に位置する端部とは、例えば、仮に液晶ダイレクタ方向と平行な線を意匠領域内に所定数用意した場合に、平行線の各々中点を結んだ線よりも液晶ダイレクタ側に位置する端部や、意匠領域の重心を通る液晶ダイレクタ方向と垂直な線よりも液晶ダイレクタ側に位置する端部である。
【００３８】
図示するように、端部角が９０°の意匠端部からの順方向延設では、表示異常が視認されないという非常に良好な結果が得られている。また、端部角が±４０°の意匠端部からの順方向延設では、ある程度は表示異常が視認されるものの良好な結果が得られている。しかし、端部角が±３０°の意匠端部からの順方向延設では、表示異常がはっきりと視認された。
一方、逆方向延設では、いずれの端部角（±３０°、±４０°、９０°）であっても、表示異常が視認された。
【００３９】
以上から、本願発明者は、意匠の端部のうち、端部角の角度が「−３０°より小さい又は＋３０より大きい」という条件（以下、「端部角条件」という。）を満たす一端部において、両電極が上記順方向延設の関係になるように液晶表示装置を設計（特に第１電極３１ｂの形状と第２電極３２ｂの形状とを設計）し、生産すれば、意匠端部に視認される表示異常を無くすか軽減することができることを見出した。
【００４０】
ここで、端部角条件を満たすように生産した液晶表示装置１００の一具体例について、図４（ａ）、（ｂ）を参照して説明する。
図４（ａ）は、液晶表示装置１００を上から見た場合の概略平面図であり、第１電極３１ｂを実線で表し、その下方に位置する第２電極３２ｂを点線で表したものである。図４（ｂ）は、液晶表示装置１００の図４（ａ）に示すＡ−Ａ線概略断面図であり、第１基板３１ａ、第１電極３１ｂ、第２基板３２ａ、及び第２電極３２ｂ以外の構成を省略した図である。また、図４（ａ）、（ｂ）では、第１電極３１ｂと第２電極３２ｂの電極パターンの一部を示した。
【００４１】
液晶表示装置１００では、基板の主面と垂直な方向から見て、第１電極３１ｂと第２電極３２ｂとが略重なる領域で意匠が形成される。具体的には、図４（ａ）に示すように、正五角形状の第１意匠６０ａと、矢印形状の第２意匠６０ｂが形成されている。なお、図４（ａ）では、意匠領域にドットを付した。
【００４２】
第１電極３１ｂは、第１意匠６０ａに重なる部分を含む第１の部分３１１ｂと、第２意匠６０ｂに重なる部分を含む第２の部分３１２ｂと、を備える。
を備える。
【００４３】
第２電極３２ｂは、本実施形態では、図示するように意匠の形状に略等しい形状に形成された電極パターンを有し、第１意匠６０ａに重なる部分を含む第１の部分３２１ｂと、第２意匠６０ｂに重なる部分を含む第２の部分３２２ｂと、第１の部分３２１ｂと第２の部分３２２ｂとを接続し、意匠間（第１意匠６０ａと第２意匠６０ｂとの間）引き回し電極の役割を有する接続部３２３ｂと、を備える。接続部３２３ｂの接続幅は、１００μｍ以下の幅で形成されている。接続幅については後に詳述する。
【００４４】
ここで、第１意匠６０ａが示す五角形において紙面上左側の上端に位置する辺を第１意匠６０ａの第１端部６１と呼ぶ。そして、その他４つの辺の各々を、第１端部６１から左廻りで順に、第２端部６２、第３端部６３、第４端部６４、第５端部６５と呼ぶ。
また、第２意匠６０ｂが示す紙面上上向き矢印において、矢印方向を示す三角形状の左斜辺を第６端部６６と呼び、前記三角形状の紙面上下側に位置する長方形の左側の長辺を第７端部６７と呼び、長方形の右側の長辺を第８端部６８と呼ぶ。
【００４５】
また、図示するように、二点差線矢印で示した液晶ダイレクタ方向と第１端部６１〜第８端部６８とのなす角（端部角）を、それぞれ、θ１、θ２、θ３、θ４、θ５、θ６、θ７、θ８とする。そして、液晶ダイレクタ方向に対して紙面上左回り方向を角度の「＋」方向とした場合、θ１〜θ８の各々の角度は、一例として、θ１が＋５４°、θ２が−５４°、θ３が＋１８°、θ４が＋９０°、θ５が−１８°、θ６が＋３０°未満、θ７が＋９０°、θ８が＋９０°、であるとする。
【００４６】
本実施形態では、端部角の角度が「−３０°より小さい又は＋３０より大きい」という条件（端部角条件）を満たす一端部において、その一端部が意匠の液晶ダイレクタ方向側に位置する端部であれば、第２電極３２ｂがその一端部から液晶ダイレクタ方向側に延設（第２電極３２ｂの端縁が液晶ダイレクタ方向に延長）されており、その一端部が意匠の液晶ダイレクタ方向とは逆方向側に位置する端部であれば、第１電極３１ｂがその一端部から逆方向側に延設（第１電極３１ｂの端縁が前記逆方向に延長）されている。
【００４７】
具体的には、第１端部６１、第２端部６２、第４端部６４、第７端部６７、第８端部６８については、それぞれ、θ１の角度が＋５４°、θ２の角度が−５４°、θ４の角度が＋９０°、θ７が＋９０°、θ８が＋９０°と上記端部角条件を満たしており、第１端部６１と第２端部６２は、第１意匠６０ａの液晶ダイレクタ方向側に位置し、第７端部６７は、第２意匠６０ｂの液晶ダイレクタ方向側に位置するため、第２電極３２ｂは、第１端部６１、第２端部６２、第７端部６７の各々からその端縁が液晶ダイレクタ方向側に延設されている。
また、第４端部６４は、第１意匠６０ａの液晶ダイレクタ方向とは逆方向側に位置し、第８端部６８は、第２意匠６０ｂの液晶ダイレクタ方向とは逆方向側に位置するため、第１電極３１ｂは、第４端部６４、第８端部６８の各々からその端縁が液晶ダイレクタ方向とは逆方向側に延設されている。
【００４８】
一方、端部角が上記端部角条件を満たさない場合は、両電極が本実施形態に特有の形状・配置関係を有する必要はなく、例えば従来設計通りに電極の形状が決定される。具体的には、第３端部６３、第５端部６５、第６端部６６については、θ３の角度が＋１８°、θ５の角度が−１８°、θ６の角度が＋３０°未満と上記端部角条件を満たしていないため、これら端部における両電極は本実施形態に特有の形状・配置関係を有していない。
【００４９】
上記のように電極を意匠端部から延設する場合（つまり、端部角条件を満たす意匠の端部において、電極を上記順方向延設する場合）の延設の長さ（電極を延長する長さであり、平面視した場合に、対象の第１電極３１ｂの端縁と第２電極３２ｂの端縁との間の距離をいう。）は任意であるが、表示異常を軽減することができ、端部角条件を満たす端部における液晶分子３３ａの傾く方向を同じ方向にすることができる所定の長さ以上の長さに設定される。この所定の長さは、第１電極３１ｂと第２電極３２ｂとの重ね合わせの精度によって生じるズレの長さ（重ね合わせの工程で必要なマージン）よりも大きい。
なお、端部角条件を満たさない意匠の端部においては、電極を延設しなくてもよいし（平面視において、両電極の端縁が重なる）、前記所定の長さよりも短い距離であれば電極を上記順方向延設の関係で延設してもよいし、上記逆方向延設の関係であれば前記所定の長さ以上の距離で電極を延設してもよい。つまり、端部角条件を満たさない端部において、電極は、上記順方向延設の関係で前記所定の長さ以上、延長されない。また、上記具体例では特に示さなかった意匠の端部における電極についても、端部角条件を満たす端部において、電極が順方向延設の関係で形成、配置される。
【００５０】
（接続部の接続幅について）
また、本願発明者は、液晶表示装置１００において、第２電極３２ｂにおける意匠間（第１意匠６０ａと第２意匠６０ｂとの間）引き回し電極である接続部３２３ｂの接続幅を１００μｍ以下に形成することによっても、意匠端部に視認される表示異常の発生を抑制することができることを見出した。なお、接続幅とは、接続部が第１意匠６０ａと第２意匠６０ｂとを連結する方向と垂直方向の幅をいう。
【００５１】
ここで、図５に接続部３２３ｂの接続幅をいくつか変化させて（８０、１００、１５０、３００μｍ）液晶表示装置を作成した場合における、表示異常の発生の有無に関する実験結果を示す。なお、この実験結果は、上記のように電極を延設せずに配設し（つまり、意匠端において略一致）、フレーム周波数を１００Ｈｚとした場合の結果である。
【００５２】
図示するように、接続幅が８０μｍ、１００μｍである場合は、接続部３２３ｂの付近における意匠端では表示異常が視認されないという良好な結果となっている。一方、接続幅が１５０μｍである場合は、接続部３２３ｂの付近における意匠端では表示異常が完全には視認されないが目立つ結果となっている。また、接続幅が３００μｍである場合は、接続部３２３ｂの付近における意匠端では表示異常が視認された。
以上により、本願発明者は、液晶表示装置の表示品位をより良好にするためには、接続部３２３ｂを接続幅「１００μｍ以下」で形成すれよいことを見出した。
【００５３】
（液晶層が有するプレチルト角の角度について）
さらに、本願発明者は、液晶表示装置１００において、液晶層３３に付与するプレチルト角の角度を「８５°以上８９．７°以下」、より好ましくは「８９°以上８９．７°以下」とすれば、いわゆる背景抜けも防ぎつつ、液晶表示装置の表示品位を保つことができることに思い至った。
【００５４】
ここで、図６にプレチルト角の角度θｐをいくつか変化させて（８３°、８５°、８９°、８９．７°、９０°）液晶表示装置を作成した場合における、表示異常と背景抜けの発生の有無に関する実験結果を示す。背景抜けとは、パッシブ方式で電圧無印加時に発生する光漏れのことをいう。図６では、θｐの減少（液晶分子３３ａが垂直状態から倒れる）に伴い視角依存性が悪化する状態を示しており、図６における円状のグラフは、各々のプレチルト角での、電圧無印加時の表示領域における透過率（下限０％〜上限０．５％）の分布結果を表したものである。透過率が低ければ、光漏れが少ないことになる。なお、この表示異常と背景抜けの実験結果は、上記のように電極を延設せずに配設したもの（つまり、意匠端において略一致）であり、表示異常の実験結果のみフレーム周波数を１００Ｈｚとし、電圧を印加した場合の結果である。
【００５５】
図示するように、プレチルト角の角度θｐが、９０°以外では、表示異常が目立って視認されない結果となっている。しかし、θｐが８３°の場合は、背景抜けが目立つため（円状のグラフで、表示領域における透過率が高い領域（透過率０．５％付近の領域）Ｈｉの割合が大きい）、表示品位を保つ観点からこの角度は採用できない。一方、θｐが８５°以上８９．７°以下であれば、背景抜けは目立って発生しなかった。以上により、液晶層３３のプレチルト角の角度が「８５°以上８９．７°以下」であれば、良好な表示品位を保つことが出来ることがわかった。ただ、θｐが８５°の場合は、背景抜けが目立たずに許容できるというレベルであり、背景抜けが問題のないレベルでは、θｐが８９°以上が好ましい。よって、液晶層３３のプレチルト角の角度は、「８９°以上８９．７°以下」がより好ましい。
【００５６】
（液晶表示装置１００の生産方法について）
液晶表示装置１００の生産方法について説明する。
まず、透明基板からなる第１基板３１ａと第２基板３２ａとを用意し、両基板の一面上にＩＴＯにより第１電極３１ｂ、第２電極３２ｂを形成する。
第１電極３１ｂと第２電極３２ｂとは、端部角の角度が「−３０°より小さい又は＋３０より大きい」という条件（端部角条件）を満たす一端部において、その一端部が意匠の液晶ダイレクタ方向側に位置する端部であれば、第２電極３２ｂをその一端部から液晶ダイレクタ方向側に延設（第２電極３２ｂの端縁が液晶ダイレクタ方向に延長）し、その一端部が意匠の液晶ダイレクタ方向とは逆方向側に位置する端部であれば、第１電極３１ｂをその一端部から逆方向側に延設（第１電極３１ｂの端縁が前記逆方向に延長）するようにして、第１電極３１ｂのレイアウトと第２電極３２ｂのレイアウトとを決定する決定ステップを経て、形成される。
言い換えれば、この決定ステップは、液晶ダイレクタ方向に対する角度の絶対値が３０°以下である第１の端部と、液晶ダイレクタ方向側に位置し、液晶ダイレクタ方向に対する角度の絶対値が３０°より大きい第２の端部と、を含む意匠の端部において、前記第２の端部における第２電極３２ｂの端縁が、第１電極３１ｂの端縁よりも前記液晶ダイレクタ方向に所定の長さ以上延長されるという条件を満たすように、第１電極３１ｂのレイアウトと第２電極３２ｂのレイアウトとを決定するステップである。
また、この決定ステップは、液晶ダイレクタ方向に対する角度の絶対値が３０°以下である第１の端部と、液晶ダイレクタ方向とは逆方向側に位置し、液晶ダイレクタ方向に対する角度の絶対値が３０°より大きい第２の端部と、を含む意匠の端部において、前記第２の端部における第１電極３２ａの端縁が、第２電極３２ｂの端縁よりも前記逆方向に所定の長さ以上延長されるという条件を満たすように、第１電極３１ｂのレイアウトと第２電極３２ｂのレイアウトとを決定するステップである。
また、第２電極３２ｂにおける意匠間（第１意匠６０ａと第２意匠６０ｂとの間）引き回し電極である接続部３２３ｂの接続幅は１００μｍ以下となるように形成される。
【００５７】
次に、第１基板３１ａに、第１電極３１ｂを覆うように第１配向膜３１ｃを形成する。同様に、第２基板３２ａに、第２電極３２ｂを覆うように第２配向膜３２ｃを形成する。このように形成された第１配向膜３１ｃと第２配向膜３２ｃとには、例えばアンチパラレルとなるようにラビング処理が施され、液晶層３３に「８５°以上８９．７°以下」、より好ましくは「８９°以上８９．７°以下」のプレチルトを付与するように調整されている。このようにして、第１基板ユニット３１と第２基板ユニット３２が形成される。
【００５８】
次に、第１基板ユニット３１と第２基板ユニット３２のいずれかにシール材（図示せず）、ギャップコントロール材（図示せず）を塗布し、第１基板ユニット３１と第２基板ユニット３２とを、電極側が対向するように重ね合わせる。そして、第１基板ユニット３１と第２基板ユニット３２との間に、誘電率異方性Δεが負（Δε＜０）の液晶材を注入して、液晶層３３を形成することで液晶素子３０を作成する。液晶層３３の液晶分子３３ａは、第１配向膜３１ｃと第２配向膜３２ｃとに垂直配向されとともに、上記プレチルトが付与されている。
【００５９】
次に、上記のように作成された液晶素子３０に、第１偏光フィルタ１０と第２偏光フィルタ２０とを貼り合わせる。第１偏光フィルタ１０と第２偏光フィルタ２０とは、各々の透過軸（又は吸収軸）が液晶ダイレクタ方向に対して＋４５°と−４５°の角度を有するようにクロスニコルで配置される。
【００６０】
そして、第２偏光フィルタ２０の下側に、半透過反射層４０を形成し、その下側にバックライト５０を配設することで、液晶表示装置１００は生産される。
【００６１】
このように生産された垂直配向型の液晶表示装置１００によれば、上述したように発生する配向欠陥を抑制することができるため、図７（ａ）、（ｂ）によれば、従来意匠端部に視認されていた表示異常の発生（図９（ａ）、（ｂ）参照）を無くすか軽減することができた。また、本実施形態のように設計し、生産された液晶表示装置１００によれば、液晶層３３の配向安定性が向上し、図７（ｃ）に示すように、従来電圧印加時に発生していた影状の表示ムラ（図９（ｃ）参照）の発生が抑えられることがわかった。このようにして、良好な表示品位を保つことができる。
【００６２】
（変形例）
なお、本発明は上記の実施形態及び図面によって限定されるものではない。上記の実施形態及び図面に変更（構成要素の削除も含む）を加えることができるのはもちろんである。
例えば、上記では、液晶表示装置１００を、半透過反射層４０を備える半反射型の液晶表示装置として説明したが、これに限られない。半透過反射層４０を省いて透過型の液晶表示装置としてもよいし、半透過反射層４０を、反射層として反射型の液晶表示装置としてもよい。反射型の場合、バックライト５０は不要である。また、以上の説明では、本発明の理解を容易にするために、重要でない公知の技術的事項の説明を適宜省略した。
【００６３】
また、以上では、第２電極３２ｂが意匠の形状に略等しい形状に形成された電極パターンを有するとして説明したが、第１電極３１ｂと第２電極３２ｂの役割が逆であってもよい。
【００６４】
また、以上では、意匠の端部（意匠の輪郭線）が辺（直線）である場合について説明したが、意匠の端部が円弧等の曲線（つまり、電極の端縁が曲線）であっても本発明は同様に適用可能である。意匠の端部が曲線である場合は、意匠の端部の接線と液晶ダイレクタとのなす角を端部角とすればよい。
【符号の説明】
【００６５】
１００      液晶表示装置
１０      第１偏光フィルタ
２０      第２偏光フィルタ
３０      液晶素子
３１      第１基板ユニット
３１ａ    第１基板
３１ｂ    第１電極
３１１ｂ  第１の部分
３１ｃ    第１配向膜
３２      第２基板ユニット
３２ａ    第２基板
３２ｂ    第２電極
３２ｃ    第２配向膜
３３      液晶層
３３ａ    液晶分子
４０      半透過反射層
５０      バックライト
６０ａ    第１意匠
６０ｂ    第２意匠
６１      第１端部
６２      第２端部
６３      第３端部
６４      第４端部
６５      第５端部
６６      第６端部
６７      第７端部
６８      第８端部
【図１】
2013029775.tif 000003
【図２】
2013029775.tif 000004
【図３】
2013029775.tif 000005
【図４】
2013029775.tif 000006
【図５】
2013029775.tif 000007
【図６】
2013029775.tif 000008
【図７】
2013029775.tif 000009
【図８】
2013029775.tif 000010
【図９】
2013029775.tif 000011